(57)【要約】【課題】製造時のステップ数や部品点数を増大させることなく、光を用いてデザイン性を向上させること。【解決手段】ＰＣ１の表示部３は、表示パネル部８と天板９とを有する。天板９は、その裏面が、表示パネル部８の表示画面とは逆側の面に固定される。天板９は、集光性の蛍光染料を含有したプラスチック材料から形成される。天板９の裏面には、ロゴマークを示す凹部が形成されている。天板９の表面で集光された自然光及び人口光は、天板９内で蛍光に変化し、全反射しながら天板９の端面及びロゴマークＭを示す凹部へ誘導され、濃密化された状態で放出される。【選択図】図２
2012032906.tif 000002
【特許請求の範囲】
【請求項１】
表示画面を有する第１の面と、当該第１の面に対向する第２の面とを有する表示パネル部と、
前記第２の面に接する第３の面と、当該第３の面に対向する第４の面と、前記第３の面との端部と前記第４の面の端部とを繋ぐ第５の面とを有し、集光性の蛍光染料を含有した天板と
を具備する情報処理装置。
【請求項２】
請求項１に記載の情報処理装置であって、
前記天板は、前記第３の面に、第１のマークを表す第１の凹部を有する
情報処理装置。
【請求項３】
請求項２に記載の情報処理装置であって、
前記天板は、前記第４の面に、第２のマークを表す第２の凹部を有する
情報処理装置。
【発明の詳細な説明】
【技術分野】
【０００１】
本発明は、情報処理装置に関する。
【背景技術】
【０００２】
近年、パーソナルコンピュータ、携帯端末、電子ブック装置などの情報処理装置においては、そのデザインの重要性が高まってきている。例えば、筐体に関して、その形状以外にも、アクリル透明樹脂の天板の内側に塗装を施すことでカラーを引き立たせるとともに、表面に乱反射のためのパターンを施すことで、高級な質感を醸し出すことができる。
【０００３】
また、筐体の一部を構成するパネルから光を発するような構成も知られている。例えば、パネルとして導光体が用いられる。機器の内部にはＬＥＤなどの光源が設けられ、この光源からの光が導光体のパネルを伝播するように構成される。パネルの裏面にはロゴなど絵柄が白色で印刷され、導光体のパネルを伝播する光の一部は印刷部にて反射されることで、パネルの前面側に出射する。これにより、ロゴなどの絵柄がパネルの表面に浮かび上がったような照明効果が得られ、機器の美観性の向上が期待できるとしている（例えば、特許文献１参照）。
【先行技術文献】
【特許文献】
【０００４】
【特許文献１】特開２００４−３２６９０１号公報（段落[００２９]、図３）
【発明の概要】
【発明が解決しようとする課題】
【０００５】
情報処理装置の外観を惹き立たせるための条件は、色、光、表面の質感など、様々であるが、光を効果的に利用した構造を採用すると、そのための塗装や表面加工等、製造のステップ数の増大となるとともにコストもかかる。たとえば、上記特許文献１などに見られるように導光板が採用される場合には、情報処理装置内部に光源を設ける必要があり、部品点数が増大するのみならず、消費電力も大きくなり、特にバッテリを利用して動作する装置においては不向きと考えられる。
【０００６】
以上のような事情に鑑み、本発明の目的は、製造時のステップ数や部品点数を増大させることなく、光を用いてデザイン性を向上させることが可能な情報処理装置を提供することにある。
【課題を解決するための手段】
【０００７】
上記目的を達成するため、本発明の一形態に係る情報処理装置は、表示パネル部と、天板とを有する。上記表示パネル部は、表示画面を有する第１の面と、当該第１の面に対向する第２の面とを有する。上記天板は、上記第２の面に接する第３の面と、当該第３の面に対向する第４の面と、上記第３の面との端部と上記第４の面の端部とを繋ぐ第５の面とを有し、集光性の蛍光染料を含有している。
【０００８】
当該情報処理装置においては、天板に集光性の蛍光染料が含有されているため、自然光や人口光が第４の面で集光され、それが全反射しながら第５の面に誘導されて濃密化された状態で放出されることで、第５の面が光って見える。したがって情報処理装置は、天板に集光性の蛍光染料を含有させた材料を用いることで、製造時のステップ数や部品点数を増大させることなく、光を用いてデザイン性を向上させることができる。
【０００９】
上記情報処理装置において、上記天板は、上記第３の面に、第１のマークを表す第１の凹部を有していてもよい。
【００１０】
これにより情報処理装置は、上記第５の面と同様に、当該第１の凹部に光を誘導させることで、第１のマークを表すためにシールを貼付したり印刷をしたりすることによるコストを省きながら、第１のマークを効果的に目立たせることができる。上記第１の凹部は、天板の成型時に金型により一体的に形成されてもよいし、彫刻により形成されてもよい。ここでマークとは、文字、図形、記号若しくはこれらの結合をいい、典型的には当該情報処理装置について用いられる商標である。
【００１１】
また上記天板は、上記第４の面に、第２のマークを表す第２の凹部をしていてもよい。
【００１２】
これにより情報処理装置は、天板の第３の面と第４の面とにそれぞれ凹部を形成することで、当該第３の面と第４の面とでマークの見え方を異ならせることができ、デザインに関する需要者の興趣の向上をより図ることができる。ここで第２のマークは、上記第１のマークと同一のものであってもよいし、異なるものであってもよい。
【発明の効果】
【００１３】
以上説明したように、本発明によれば、製造時のステップ数や部品点数を増大させることなく、光を用いてデザイン性を向上させることができる。
【図面の簡単な説明】
【００１４】
【図１】本発明の一実施形態に係るＰＣの表示部が開いた状態を示す斜視図である。
【図２】本発明の一実施形態に係るＰＣの表示部が閉じた状態を示す斜視図である。
【図３】本発明の一実施形態に係るＰＣの表示部が開いた状態を示す平面図である。
【図４】本発明の一実施形態に係るＰＣの表示部が閉じた状態を示す背面図である。
【図５】本発明の一実施形態に係るＰＣの表示部が閉じた状態を示す正面図である。
【図６】本発明の一実施形態に係るＰＣの表示部が閉じた状態を示す右側面図である。
【図７】本発明の一実施形態に係るＰＣの表示部が閉じた状態を示す左側面図である。
【図８】本発明の一実施形態に係るＰＣの表示部が閉じた状態を示す平面図である。
【図９】本発明の一実施形態に係るＰＣの表示部が閉じた状態を示す底面図である。
【図１０】図８におけるＡ−Ａ略式断面図である。
【図１１】図８におけるＢ−Ｂ略式断面図である。
【図１２】本発明の一実施形態に係るＰＣの天板を示す底面図である。
【図１３】本発明の一実施形態に係るＰＣの天板を示す平面図である。
【図１４】本発明の一実施形態に係るＰＣの中央プレートを示す平面図である。
【図１５】本発明の一実施形態に係るＰＣの表示部が開いた状態を右斜め方向から捉えた写真である。
【図１６】本発明の一実施形態に係るＰＣの表示部が閉じた状態を右斜め方向から捉えた写真である。
【図１７】本発明の一実施形態に係るＰＣの表示部が開いた状態を左側面方向から捉えた写真である。
【図１８】本発明の一実施形態に係るＰＣの天板のロゴマーク近傍を捉えた写真である。
【発明を実施するための形態】
【００１５】
以下、図面を参照しながら、本発明の実施形態を説明する。本実施形態では、情報処理装置としてノートブック型のパーソナルコンピュータ（Personal Computer。以下、単にＰＣと呼ぶ）を一例に挙げて説明する。
【００１６】
［ＰＣの構成］
図１は、本発明の一実施形態に係るＰＣの表示部が開いた状態を示す斜視図である。図２は、図１のＰＣの表示部が閉じた状態を示す斜視図である。図３は、当該ＰＣの表示部が開いた状態を示す平面図である。当該図３においては、表示部と本体部とを、両者が分離した状態で示している。また図４、図５、図６、図７、図８、図９は、それぞれ、当該ＰＣの表示部が閉じた状態を示す背面図、正面図、右側面図、左側面図、平面図、底面図である。
【００１７】
これらの図に示すように、ＰＣ１は本体部２と表示部３とを有する。本体部２と表示部３とは相対的に、ヒンジ４によって回動可能なように連結されている。
【００１８】
本体部２の上面には、キーボード５、タッチパッド６、電源スイッチその他各種のスイッチ、ステータス表示部などが配置されている。キーボード５は、標準的なＱＷＲＴＹキー配列を有するキーボードである。タッチパッド６は、例えば静電容量方式のタッチパネルを用いたユーザインタフェースである。タッチパッド６の近傍には、マウスの左ボタンと右ボタンとしての機能がそれぞれ割り当てられた２つのクリックボタンが設けられている。
【００１９】
図１、図２、図６及び図７に示すように、本体部２の側面には、各種の外部接続端子２ａ、ディスクドライブのディスクスロット２ｂ、メモリカード／メモリスティック用のスロットなどが設けられている。外部接続端子２ａとしては、ＵＳＢ（Universal Serial Bus）、ｉＬＩＮＫ、ＬＡＮ、外部ディスプレイ出力、映像入力、オーディオ入力、ＨＤＭＩ（High-Definition Multimedia Interface）出力、マイク入力、ヘッドホン出力などがある。
【００２０】
図４及び図８に示すように、本体部２は、底面の背面側端部にバッテリ７を有する。このバッテリ７は本体部２に対して着脱自在である。本体部２の内部には、マザーボード、光ディスクドライブ、ハードディスクドライブ、無線通信デバイス、オーディオ機能、スピーカー／アンプなどの各種デバイスが設けられている。マザーボードには、メインメモリ、ＣＰＵ、グラフィックスチップ、チップセット、その他の制御回路などの電子部品が実装されている。チップセットは、ＰＣ１の内部において各デバイスとの間のデータの受け渡しを管理するチップである。チップセットは、内蔵グラフィックスチップ等を含む。また、チップセットは、不揮発性メモリやＥＣ（Embedded Controller）等の各周辺デバイスとの接続インターフェースを有する。
【００２１】
表示部３は例えばＬＣＤ（Liquid Crystal Display）等からなる表示パネル部８を備えている。この表示パネル部８は、表示画面を含むディスプレイモジュールを有する。当該ディスプレイモジュールは、その表示画面が、ＰＣ１の表示部３が閉じた状態において本体部２の上面に対向し、ＰＣ１の表示部３が開いた状態において正面側を向くように、表示部３に組み込まれている。また、ＰＣ１の表示部３が閉じた状態において、表示部３は本体部２の上面の蓋体として用いられる。このため、表示部３の表示画面とは逆側の面（対向面）には装飾的な外装部としての天板９が配置されている。この天板９には、当該ＰＣ１の製品名、製造メーカ名などのロゴマークＭが設けられている。この表示部３の装飾的な外装部の構成については後述する。当該ロゴマークＭは、本体部２の上面にも設けられる。
【００２２】
［表示部の構成］
次に、上記表示部３の構成について説明する。図１０は、図８におけるＡ−Ａ略式断面図であり、図１１は、図８におけるＢ−Ｂ略式断面図である。また図１２は、表示部３から分解された天板９を示す底面図であり、図１３は、表示部３から分解された天板９を示す平面図である。
【００２３】
図４〜図７、図１０及び図１１に示すように、表示部３は、表示パネル部８と、天板９とを備える。表示パネル部８の一方の面（表面）には、表示画面を有するディスプレイモジュール１４が組み込まれ、表示パネル部８の表示画面とは逆側の面（裏面）には、当該表示パネル部８を保護する保護シート１３が貼付されている。
【００２４】
当該表示パネル部８の裏面には、当該保護シート１３を介して、天板９の一方の面（裏面）が貼り付けられて固定されている。図１０及び図１１に示すように、天板９の裏面には凹部９ａが設けられており、当該凹部９ａに、表示パネル部８の少なくとも一部が収容される。すなわち、天板９の４方各辺の端部は、これら端部によって囲まれる部分に上記の凹部９ａが形成されるようにそれぞれ同じ方向に屈曲されている。天板９の凹部９ａの領域の厚みは略等しく、その表裏各面は平坦な面となっている。そして天板９の少なくとも左右の端部の厚みは、凹部９ａに相当する領域の厚みから次第に大きくなるように設定される。
【００２５】
また、図２、図６、図１２及び図１３に示すように、天板９には、例えば本装置の製品名、製造メーカ名などのロゴマークＭが設けられている。これらのロゴマークＭは、天板９の裏面に凹部として形成されている。ここで、当該ロゴマークＭを示す凹部の断面は、例えば直角に形成されるが、半円形、半楕円形、その他のアーチ形の断面形状であってもよい。
【００２６】
天板９の表面にはフィルムが貼着されている。当該フィルムは、天板９の表面の強度を高めるとともに、装飾的機能も果たす。すなわち、このフィルムには、例えばその大部分を占める中央部が透明とされ、天板９の四辺の端から一定の幅部分が、半透明から不透明となるようなグラデーションパターンが印刷されている。
【００２７】
また、表示パネル部８と天板９との間に介在する上記保護シート１３には、表示パネル部８の裏面を隠すとともに、天板９の上記透明部分から透けて見えさせるための色または装飾パターンが印刷されている。当該装飾パターンとして、天板９を立体的に見せるための３Ｄパターンが採用されてもよい。すなわち、保護シート１３が３Ｄシートとされてもよい。当該保護シート１３に様々なカラーバリエーションや装飾パターンのバリエーションが用意されて、ユーザの好みに応じて保護シート１３が取替え可能とされてもよい。
【００２８】
（天板の材料）
次に、天板９の材料について説明する。
【００２９】
天板９は、透明性を有するプラスチック製の集光板からなる。この集光板は、集光性の蛍光染料を含有している。プラスチックとしては、例えば、例えばポリメチルメタアクリル、ポリカーボネート、ポリスチレン等が用いられる。上記蛍光染料により、天板９は、自然光、人口光をその表面で集光する。集光された光に含まれる紫外線などの励起光によって、天板９内の蛍光染料が発光し、その光は天板９内で大部分が全反射しながらその端面（表面端部と裏面端部とを繋ぐ側面）へ誘導され、この端面から濃密化された状態で放出される。これにより、天板９の四方の端面（側面）は、明るく光る。また、天板９の裏面に凹部として設けられたロゴマークＭのエッジの部分も、その部分に上記の端面と同様に天板９内で誘導された光が高密に集まることで明るく光る。これにより、天板９のシルエットとロゴマークＭが、明るい光によって浮き上がって見える装飾効果が得られる。
【００３０】
天板９は、例えば、上記ロゴマークＭとしての凹部も含め、インサートモールド（ＩＭＦ）成形により製造される。すなわち、上記フィルムを、天板９の形状に合わせて事前に真空成形しておき、当該フィルムを、上記天板９の形状及びロゴマークＭの形状を有する射出成形用の金型内にセットし、天板９の材料となる溶融樹脂を金型内に注入し、フィルムを当該溶融樹脂に溶着させ、固化させることで、フィルムと一体的な天板９が製造される。したがって、従来のシールや印刷によるロゴマークと比較して、シールを貼付したり印刷をしたりすることによるコストを省くことができるとともに、当該ロゴマークを凹部として形成することで、上述した光の作用により、ロゴマークを効果的に目立たせることができる。
【００３１】
このように、天板９の表面にはフィルムが溶着されるため、当該表面は極力平坦である必要がある。上述したように、本実施形態では、上記ロゴマークＭを天板９の裏面に設けることで、この問題に対処している。
【００３２】
［本体部の構成］
次に、上記本体部２の外装の構成について説明する。図１及び図３に示すように、本体部２の上面（キーボード５が設けられた面）は、主に奥側プレート１１、手前側プレート１２、中央プレート１０などで覆われている。
【００３３】
奥側プレート１１は、ヒンジ４の可動域を確保するための切り欠き部を有し、例えば電源スイッチなどの各種スイッチ類が配置された領域に対応する外装部である。手前側プレート１２は、本体部２においてタッチパッド６に付属する左右のクリックボタンが配置された手前の部分に対応する外装部である。中央プレート１０は、本体部２においてキーボード５及びタッチパッド６が配置される中央部分に対応する外装部である。これらの外装プレートのうち、中央プレート１０は、上記の天板９と同様に、透明性を有するプラスチック製の集光板で作製されたものである。したがって、図１、図２、図６及び図７に示すように、ＰＣ１の側面から露出する中央プレート１０の端面（表面端部と裏面端部とを繋ぐ側面）も、上記光の作用により明るく光る。このような光の効果を意図して、中央プレート１０の側面は、本体部２の側面からあえて剥き出しの状態となるように設計されている。また、当該中央プレートは、上記天板９と同様に、例えば、ロゴマークＭも含めて、射出成形により形成される。
【００３４】
奥側プレート１１及び手前側プレート１２は、本体部２の底面及び各側面の外装部と同様、ＡＳ樹脂、ＡＢＳ樹脂等の合成樹脂で作製されたものである。表示部３の天板９、本体部２の外装部の色合はすべて共通とされている。
【００３５】
図１４は、プラスチック製の集光板で作製された中央プレート１０を示す平面図である。同図に示すように、中央プレート１０は、当該中央プレート１０の表面と裏面とを貫通しキーボード５を露出させる矩形の孔１０ｃを有する。
【００３６】
図１０に示すように、中央プレート１０の左右の端部の厚みは、表示部３の天板９と同様に、その中央の厚みに対して次第に大きくなるように設定される。すなわち、中央プレート１０の厚みは、端面（側面）から離間するほど小さく設定される。これにより、中央プレート１０の下方に位置する、本体部２内部の部品の設置場所を確保しながら、光によるデザインの向上を図ることができる。
【００３７】
図１１に示すように、中央プレート１０の左右の端部の間の領域の厚みは略等しい。但し、中央プレート１０においてキーボード５を露出させる孔１０ｃの縁周りは、本体部２の底面の方向に屈曲され隆起されている。これにより、中央プレート１０の特に孔１０ｃ周りの強度を向上させている。また、この孔１０ｃの縁周りの隆起部、すなわち孔１０ｃの内面は、天板９内で誘導された光が濃密化されることで明るく光る端面となる。
【００３８】
図１０及び図１１に示すように、中央プレート１０の裏面には、タッチパッド６が、例えば両面テープ等により貼り付けられることで設けられる。図１０及び図１４に示すように、中央プレート１０の裏面には、タッチパッド６の位置決め用の目印としてＶ溝１０ａが設けられている。すなわち、タッチパッド６は、中央プレート１０のＶ溝１０ａの位置を基準に位置合わせされて中央プレート１０に取り付けられる。これにより、当該タッチパッド６の端面及び上記Ｖ溝１０ａにも光が導かれ濃密化されるため、タッチパッド６の周囲を明るく光らせる装飾的な意味での効果とともに、ユーザにタッチパッド６の位置を即座に視認させることでの操作性の向上を図る効果が得られる。
【００３９】
また、図１０及び図１４に示すように、中央プレート１０の表面の、上記Ｖ溝に対応する位置よりやや内側の領域には、僅かな凹部１０ｂが形成されている。この凹部１０ｂが形成されることで、中央プレート１０の厚みが、タッチパッド６が静電容量を検出可能な厚みとなるように調整されている。また、この凹部１０ｂの周囲にも、中央プレート１０内部で光が誘導される方向に対してほぼ垂直な方向の端面が僅かながら形成されるので、この凹部１０ｂの周囲の端面も明るく光ることで、ユーザにタッチパッド６の位置を視認させることができる。
【００４０】
［外装の視覚効果］
図１５は、ＰＣ１の表示部３が開いた状態を右斜め方向から捉えた写真であり、図１６は、ＰＣ１の表示部３が閉じた状態を右斜め方向から捉えた写真であり、図１７は、ＰＣ１の表示部３が開いた状態を左側面方向から捉えた写真であり、図１８は、ＰＣ１の天板９のロゴマークＭ近傍を捉えた写真である。
【００４１】
これらの図に示すように、集光性の蛍光染料を含むプラスチック板を天板９及び中央プレート１０に採用することで、天板９及び中央プレート１０の端面が明るく光り、また天板９にロゴマークＭを凹部として形成し、中央プレート１０の裏面にタッチパッド６を貼付することで、ロゴマークＭ及びタッチパッド６の周囲が明るく光り、ＰＣ１のデザインの向上に寄与していることが分かる。
【００４２】
［まとめ］
以上の実施形態によれば、集光性の蛍光染料を含有したプラスチック板をＰＣ１の本体部２及び表示部３及び外装部材として使用したことで、製造時のステップ数や部品点数を増大させることなく、光を用いてＰＣ１のデザイン性を向上させることができる。
【００４３】
また、表示部３において、集光性の蛍光染料を含有した天板９の裏面にロゴマークＭを示す凹部を形成したことで、従来のシールの貼り付けや印刷等によるロゴマークと比較して、コストを削減しながら、ロゴマークを際立たせることができる。
【００４４】
さらに、本体部２において、集光性の蛍光染料を含有した中央プレート１０の裏面にタッチパッド６を貼り付けることで、デザイン性を向上させるのみならず、ユーザにタッチパッド６の位置を即座に視認させることができる。
【００４５】
また、本実施形態では、ノート型ＰＣのように、天板やキーボードの配置面に比較的広い形状を有する機器に集光板を採用することで、その端面に導かれる光の量を十分に確保し、端面を効果的に光らせることができる。
【００４６】
［変形例］
上述の実施形態では、天板９の凹部としてのロゴマークＭは、射出成形により設けられたが、彫刻等の他の方法により設けられても構わない。また、ロゴマークＭは天板９の裏面に設けられたが、それに代えて、またはそれに加えて、天板９の表面に設けられてもよい。また、ロゴマークＭに代えて、様々な文字列や装飾パターンが凹部として設けられてもよい。天板９の表面及び裏面の両面にロゴマークその他のデザインを凹部として設けることで、表面と裏面とで見え方を異ならせることができ、より複雑で魅力的なデザインを提供することができる。
【００４７】
上述の実施形態においては、情報処理装置としてノートブック型のＰＣを例に挙げたが、本発明は、例えばタブレット型のＰＣ、携帯情報端末、携帯電話機、スマートフォン、携帯型ゲーム機、電子辞書、電子ブック端末、携帯型オーディオ／ビデオプレイヤー、カーナビゲーション装置等、他のあらゆる情報処理装置に適用可能である。この場合、情報処理装置にはキーボードが設けられてなくてもよい。
【符号の説明】
【００４８】
１…ＰＣ
２…本体部
３…表示部
５…キーボード
６…タッチパッド
８…表示パネル部
９…天板
９ａ…凹部
１０…中央プレート
１０ａ…Ｖ溝
１０ｃ…孔
１３…保護シート
１４…ディスプレイモジュール
【図１】
2012032906.tif 000003
【図２】
2012032906.tif 000004
【図３】
2012032906.tif 000005
【図４】
2012032906.tif 000006
【図５】
2012032906.tif 000007
【図６】
2012032906.tif 000008
【図７】
2012032906.tif 000009
【図８】
2012032906.tif 000010
【図９】
2012032906.tif 000011
【図１０】
2012032906.tif 000012
【図１１】
2012032906.tif 000013
【図１２】
2012032906.tif 000014
【図１３】
2012032906.tif 000015
【図１４】
2012032906.tif 000016
【図１５】
2012032906.tif 000017
【図１６】
2012032906.tif 000018
【図１７】
2012032906.tif 000019
【図１８】
2012032906.tif 000020